(57)【要約】【課題】きのこの廃培地を効率的に焼却処理することを可能とし、きのこの廃培地を有効に利用することができるきのこの廃培地の燃焼装置を提供する。【解決手段】きのこの廃培地の供給部１０と、該供給部から供給されるきのこの廃培地を燃焼させる燃焼部３０とを備えるきのこの廃培地の燃焼装置であって、燃焼部３０は、廃培地の燃焼室３２と、該燃焼室を包囲する配置に設けられた加熱送気室４０とを備え、燃焼室３２は、上部側が徐々に尖鋭形状となり、頂部が閉止され、下部が開口する中空の立体形状に形成された燃焼筒３５と、燃焼室に連通し、燃焼筒内にエアを送入する送気ファン３８とを備え、燃焼筒３５には、壁部を貫通する複数の通気孔が設けられるとともに、壁部の外面上に廃培地を燃焼筒上に滞留させるための落下防止板が設けられ、加熱送気室４０には、加熱送気室内にエアを導入するファン４２と、該加熱送気室内で温められたエアをファン４２の作用によって送出する送風口４４とが設けられている。【選択図】図１
2011094856.tif 000002
【特許請求の範囲】
【請求項１】
きのこの廃培地の供給部と、該供給部から供給されるきのこの廃培地を燃焼させる燃焼部とを備えるきのこの廃培地の燃焼装置であって、
前記燃焼部は、
廃培地の燃焼室と、該燃焼室を包囲する配置に設けられた加熱送気室とを備え、
前記燃焼室は、上部側が徐々に尖鋭形状となり、頂部が閉止され、下部が開口する中空の立体形状に形成された燃焼筒と、該燃焼室に連通し、前記燃焼筒内にエアを送入する送気ファンとを備え、
前記燃焼筒には、壁部を貫通する複数の通気孔が設けられるとともに、壁部の外面上に廃培地を燃焼筒上に滞留させるための落下防止板が設けられ、
前記加熱送気室には、加熱送気室内にエアを導入するファンと、該加熱送気室内で温められたエアを前記ファンの作用によって送出する送風口とが設けられていることを特徴とするきのこの培地の燃焼装置。
【請求項２】
前記燃焼室には、廃培地の燃焼を保持する燃料の供給部が付設されていることを特徴とする請求項１記載のきのこの廃培地の燃焼装置。
【請求項３】
前記きのこの廃培地の供給部は、
前記きのこの廃培地が投入される底面が平坦面に形成されたタンクと、該タンクに投入された廃培地を攪拌する攪拌機構と、前記タンク内から廃培地を前記燃焼部にまで送る送り機構とを備え、
前記攪拌機構は、前記タンクの底部に前記底面と平行に回転する攪拌羽根と、該攪拌羽根を一方向に回転駆動する駆動部とを備え、
前記送り機構は、前記タンクの下面に外面を接して取り付けられた送り筒と、該送り筒内に装着されたスクリューと、該スクリューを軸線の回りで回転させる回転駆動部とを備え、
前記タンクの底部には、前記送り筒とタンクとを連通する開口部が設けられていることを特徴とする請求項１または２記載のきのこの培地の燃焼装置。
【請求項４】
前記タンクの底部に設けられた開口部は、
前記送り筒の長手方向に沿って細長形状に開口し、前記送り筒は前記開口部に合わせて開口することを特徴とする請求項３記載のきのこの培地の燃焼装置。
【発明の詳細な説明】
【技術分野】
【０００１】
本発明は、きのこの廃培地の燃焼装置に関する。
【背景技術】
【０００２】
きのこ栽培用の培地材としておがこを利用するきのこの人工栽培においては、きのこの栽培に利用した培地の廃棄材（廃培地）の処分が問題となっている。おがこなどのきのこの廃培地は、畑などの肥料や、家畜の飼料などにも利用されるが、きのこの量産化が進み、廃培地が大量に発生するようになってきたため、多くは埋め立てなどによって廃棄する方法によって処分されている。
【０００３】
このようなきのこの廃培地を処分する方法として、廃培地を焼却して処分する方法が考えられている。たとえば、燃焼室内に空気を送入しながら、バーナーを用いて燃焼室内に供給された廃培地を燃焼させる方法、燃焼室(炉）内に空気吹き出し孔を設けた送風筒を設置し、送風筒内に燃焼用の空気を送り込みながら燃焼させる方法等がある。
【先行技術文献】
【特許文献】
【０００４】
【特許文献１】特開平７−１９４３８号公報
【特許文献２】特開平１１−１８２８２３号公報
【発明の開示】
【発明が解決しようとする課題】
【０００５】
きのこ廃培地を焼却する際に問題となるのが、きのこ廃培地は水分率が高いために焼却することが難しいという問題と、菌床栽培に使用されたきのこ廃培地などは塊状になっているため、塊状のままでは燃え難く、小さく破砕してから焼却しなければならないという問題である。従来の廃培地の焼却装置において、燃焼室に空気を送入して燃焼効率を向上させ、あるいはバーナーを用いて燃焼させるようにしているのは、燃え難いきのこの廃培地を敢えて燃焼させるようにするためである。
【０００６】
本発明は、おがこを用いた瓶栽培あるいは菌床栽培から廃棄されるきのこの廃培地、あるいは椎茸などの原木を用いたきのこ栽培から廃棄されるきのこの廃培地を効率的に焼却処理することを可能とし、きのこの廃培地の有効利用を図ることを可能にするきのこの廃培地の燃焼装置を提供することを目的とする。
【課題を解決するための手段】
【０００７】
上記目的を達成するために、本発明は次の構成を備える。
すなわち、きのこの廃培地の供給部と、該供給部から供給されるきのこの廃培地を燃焼させる燃焼部とを備えるきのこの廃培地の燃焼装置であって、前記燃焼部は、廃培地の燃焼室と、該燃焼室を包囲する配置に設けられた加熱送気室とを備え、前記燃焼室は、上部側が徐々に尖鋭形状となり、頂部が閉止され、下部が開口する中空の立体形状に形成された燃焼筒と、該燃焼室に連通し、前記燃焼筒内にエアを送入する送気ファンとを備え、前記燃焼筒には、壁部を貫通する複数の通気孔が設けられるとともに、壁部の外面上に廃培地を燃焼筒上に滞留させるための落下防止板が設けられ、前記加熱送気室には、加熱送気室内にエアを導入するファンと、該加熱送気室内で温められたエアを前記ファンの作用によって送出する送風口とが設けられていることを特徴とする。
【０００８】
また、前記燃焼室には、廃培地の燃焼を保持する燃料の供給部が付設されていることによって、さらに効率的にきのこの廃培地を燃焼させることができる。
【０００９】
また、前記きのこの廃培地の供給部を、前記きのこの廃培地が投入される底面が平坦面に形成されたタンクと、該タンクに投入された廃培地を攪拌する攪拌機構と、前記タンク内から廃培地を前記燃焼部にまで送る送り機構とを備え、前記攪拌機構は、前記タンクの底部に前記底面と平行に回転する攪拌羽根と、該攪拌羽根を一方向に回転駆動する駆動部とを備え、前記送り機構は、前記タンクの下面に外面を接して取り付けられた送り筒と、該送り筒内に装着されたスクリューと、該スクリューを軸線の回りで回転させる回転駆動部とを備え、前記タンクの底部には、前記送り筒とタンクとを連通する開口部が設けられている構成とすることにより、燃焼部に供給するきのこの廃培地を細かく破砕して、的確に燃焼部に供給することができて、さらに効率的にきのこの廃培地を燃焼させることができる。
【００１０】
また、前記タンクの底部に設けられた開口部は、前記送り筒の長手方向に沿って細長形状に開口し、前記送り筒は前記開口部に合わせて開口することにより、タンクから送り機構を介してきのこの廃培地をさらに的確に燃焼部に移送して燃焼させることができる。
【発明の効果】
【００１１】
本願のきのこ廃培地の燃焼装置によれば、燃焼室内においてきのこの廃培地を効率的に燃焼させることができ、きのこの廃培地の処分を効率的に行うことができるとともに、燃焼室内においてきのこの廃培地を燃焼させて得られる熱を、加熱送気室から温風として取り出すことができ、栽培ハウスの加温等に好適に利用できる装置として提供することができる。
【図面の簡単な説明】
【００１２】
【図１】きのこの廃培地の燃焼装置の構成を示す正面断面図である。
【図２】きのこの廃培地の燃焼装置の平面図である。
【図３】きのこの廃培地の燃焼室の構成を拡大して示す断面図である。
【図４】燃焼装置に用いる燃焼筒の斜視図である。
【発明を実施するための形態】
【００１３】
以下、本発明に係るきのこの廃培地の燃焼装置の実施の形態について、図面とともに詳細に説明する。
図１はきのこの廃培地の燃焼装置を正面方向から見た断面図、図２は、燃焼装置の平面図である。本実施形態のきのこの廃培地の燃焼装置は、主要構成部として、廃培地の供給部１０と、供給部１０から供給される廃培地を燃焼させる燃焼部３０とを備える。
【００１４】
（廃培地の供給部）
廃培地の供給部１０は、底面が平坦面に形成され、上部が開口する円筒形の容器状に形成されたタンク１２と、タンク１２に投入された廃培地を攪拌する攪拌機構１４と、廃培地の送り機構２０とを備える。
攪拌機構１４は、タンク１２の底部１１に、軸１５ｂにより水平面内で回転するように軸支された一対の攪拌羽根１５ａ、１５ａを備える。この攪拌羽根１５ａは、図２に示すようにタンク１２の底部１１の略全面を回転域とする長さに設定され、図１に示すようにタンク１２の底部１１の上面に接近させて配置する。本実施形態においては、攪拌羽根１５ａの下面と平坦面に形成されたタンク１２の底部１１の上面との離間間隔を１〜２ｃｍに設定している。
【００１５】
攪拌羽根１５ａは羽根面を平板状とし、攪拌羽根１５ａの回転方向に対して羽根面をわずかに傾斜させた形態に形成する。羽根面の傾斜方向は、攪拌羽根１５ａが回転方向に対して、後方側が低位となる傾斜方向である。すなわち、攪拌羽根１５ａを一方向に回転させることにより、タンク１２に収納されている廃培地が攪拌され、タンク１２の底部近傍にある廃培地が下方（底面側）に向けて押される作用が生じる傾斜方向となる。
【００１６】
攪拌羽根１５ａ、１５ａの基部が連結される軸１５ｂは、タンク１２の底部１１から下端が下方に延出し、軸１５ｂの下端に第１のスプロケット１６ａが固定される。タンク１２の外側面の下部には駆動部として電動モータ１７が取り付けられ、電動モータ１７から下方に延出する駆動軸１７ａに第２のスプロケット１６ｂが固定される。第１のスプロケット１６ａと第２のスプロケット１６ｂとの間には、循環部材としてのチェーン１６ｃが掛け渡される。こうして、攪拌羽根１５ａ、１５ａは電動モータ１７により、一方向に回転駆動される。本実施形態においては、攪拌羽根１５ａは２０〜３０（回／分）程度の回転数に設定している。
【００１７】
第１のスプロケット１６ａ、第２のスプロケット１６ｂ、チェーン１６ｃ及び電動モータ１７は、攪拌羽根１５ａを回転駆動する駆動部１８を構成する。攪拌機構１４は、攪拌羽根１５ａと駆動部１８とを備える。なお、本実施形態の攪拌羽根１５ａを回転させる駆動部１８は一例を示したものであり、攪拌羽根１５ａを回転駆動させる駆動部１８の機構は本実施形態の構成に限定されるものではない。たとえば、攪拌羽根１５ａを直接、駆動モータの出力軸に直結させて回転駆動することも可能であり、タンク１２の下部でなく上部開口部側に駆動部を設ける配置とすることもできる。
【００１８】
本実施形態において、タンク１２の底部１１を平坦面とし、攪拌羽根１５ａを平板状としているのは、底部１１の上面と攪拌羽根１５ａの下端面とが、攪拌羽根１５ａの長手方向（全長）に対し、略均一の離間間隔となるように設定し、攪拌羽根１５ａの下端面と底部１１の上面との離間間隔を狭く設定することによって、タンク１２の下部１１の面と攪拌羽根１５ａとの間で廃培地を擦るようにして、廃培地を細かく破砕できるようにするためである。
【００１９】
実際に廃培地をタンク１２に投入して廃培地が破砕される様子を観察したところ、大きな塊状の廃培地をタンク１２に投入した場合でも、廃培地は徐々に小さく破砕されていくことが観察された。すなわち、タンク１２の底面を平坦面とし、底面に沿って、底面に近接させた状態で攪拌羽根１５ａを回転させる方法は、廃培地を細かく破砕して燃焼部３０に供給する方法として有効である。攪拌羽根１５ａもゆっくりとした回転で十分に機能する。
本実施形態の攪拌羽根は、２枚羽根であるが、３枚羽根、４枚羽根等とすることももちろん可能である。
【００２０】
タンク１２の底部１１の下側に、廃培地の送り機構２０が設けられている。送り機構２０は、タンク１２の底部１１の下面に外面を接するようにして取り付けられた送り筒２１と、送り筒２１内に装着されたスクリュー２２と、スクリュー２２を軸線の回りで回転させる回転駆動部としての電動モータ２３とを備える。
図１に示すように、送り機構２０の送り筒２１は、一端がタンク１２の底部１１の中心近傍に位置し、他端（先端）がタンク１２の外側面から燃焼部３０側に延出するように配置される。この送り筒２１が配置された位置に合わせて、タンク１２の底部１１に開口部１１ａが設けられる。この開口部１１ａはタンク１２から送り筒２１に廃培地を落とし込むようにして供給するためのものである。
【００２１】
図２に示すように、送り筒２１はタンク１２の中心位置、すなわち攪拌羽根１５ａの回転中心位置から径方向に若干偏位した位置からタンク１２の外側面を超えて、燃焼部３０方向へ他端（先端）が延出するように配置される。送り筒２１をタンク１２の中心位置から偏位させているのは、攪拌羽根１５ａの軸１５ｂや駆動部１８の各部と送り筒２１の設置位置が干渉しないようにするためである。
開口部１１ａは、送り筒２１の長手方向に沿って、送り筒２１の直上位置が開放するように細長に開口する。タンク１２の底部１１に開口部１１ａを設けたことによって、開口部１１ａの直下にスクリュー２２が露出する配置となる。なお、送り筒２１の開口部１１ａに対応する筒部分は開口している。
【００２２】
送り筒２１の先端部の下面には、スクリュー２２によってタンク１２から輸送されてくる廃培地を燃焼部３０側に供給する送出口２１ａが開口する。
スクリュー２２は開口部１１ａの全範囲と、開口部１１ａから送り筒２１の先端部との全範囲にわたって設けられている。電動モータ２３は送り筒２１の基部位置において、タンク１２の底部１１の下面に固定され、電動モータ２３の出力軸にスクリュー２２が連結される。
【００２３】
（廃培地の燃焼部）
本実施形態の廃培地の燃焼部３０は、廃培地の燃焼室３２と燃焼室３２の外側に、燃焼室３２を包囲するように設置された加熱送気室４０とを備える。
燃焼室３２は矩形の箱形の容器状に形成され、燃焼室３２の上部に、前記送り機構２０の送り筒２１と燃焼室３２とを連結するように連結筒３１が設けられている。連結筒３１は送り筒２１の先端まで搬送された廃培地を燃焼室３２内に落下させるように誘導するためのものであり、送り筒２１から燃焼室３２に向けて、廃培地が自然落下するように鉛直向きに設置される。
燃焼室３２を構成する容器の外面には、多数枚の放熱フィン３４が立設され、加熱送気室４０の内部に放熱フィン３４が延出する形態に設けられる。
【００２４】
燃焼室３２内の下部にはロストル３３が水平に設置され、ロストル３３上に、四角錐の外形形状の、頂部が閉止され下部が開放する形態に形成された燃焼筒３５が、頂部側を鉛直上向きとして支持されている。燃焼筒３５は連結筒３１の中心線位置に頂部位置を位置合わせし、連結筒３１の直下に配置される。燃焼筒３５は単にロストル３３上にのせて設置される。燃焼筒３５を燃焼室３２から取り出し、燃焼室３２内に設置する操作は、燃焼室３２の前壁面に取り付けられた開閉扉３６を開閉することによってなされる。
【００２５】
燃焼室３２の後部側の側面には燃焼筒３５にエアを送入するための送気ファン３８が設置されている。図２に示すように、送気ファン３８に連通する送気筒３８ａは、加熱送気室４０内を通過して燃焼室３２内に延出し、先端が燃焼筒３５内に進入する。送気筒３８ａの燃焼筒３５内に進入している部位の外面には多数個の通気孔３８ｂが開口する。
【００２６】
図３に燃焼部３０の構成を拡大して示す。ロストル３３上に燃焼筒３５が配置され、燃焼筒３５内に送気筒３８ａの先端部が挿入されている。
燃焼筒３５の壁部には多数個の通気孔３５ａが貫通して設けられる。この通気孔３５ａは送気筒３８ａを介して燃焼筒３５内に送入されたエアを通気孔３５ａを介して燃焼室３２内に送入する作用をなす。
燃焼筒３５の各面（４面）の外面には、燃焼筒３５上に落下して供給される廃培地が燃焼筒３５上に留まるようにするための落下防止板３５ｂが立設されている。
【００２７】
図４に、燃焼筒３５の斜視図を示す。落下防止板３５ｂは、燃焼筒３５を構成する各壁面の斜面の中途位置に、板面が燃焼筒３５の斜面と直角向きとなるように取り付けられている。通気孔３５ａは燃焼筒３５の各壁面に散点的に均等に設けられる。
燃焼筒３５の一つの面には、送気ファン３８から延出する送気筒３８ａの先端部を燃焼筒３５内に差し込むため開口３５ｃが設けられる。開口３５ｃは逆Ｕ字形に開口する。
【００２８】
図１に示すように、燃焼室３２の上部には煙突３９が連通する。
加熱送気室４０のタンク１２が配置されている側の一方の壁面に、加熱送気室４０内と連通してファン４２が取り付けられ、他方の壁面に送風口４４が設けられている。ファン４２と加熱送気室４０とはダクト４２ａを介して連通する。
【００２９】
燃焼室３２には、廃培地の燃焼を助けるために燃料の供給部５０が接続されている。燃料の供給部５０に連通する配管は燃焼室３２内に挿入され、配管の先端が燃焼筒３５の上方に位置する。燃料の供給部５０には燃料の供給量を制御する調節弁と、調節弁の開閉時間、開閉タイミングを制御する制御部が付設する。なお、燃料の供給部５０は廃培地の燃焼を助けるためのものであって、廃棄油や灯油等の適宜燃料を使用することができる。
【００３０】
（廃培地の燃焼装置の作用）
本実施形態の廃培地の燃焼装置は以下のように使用する。
図１に示すように、きのこ栽培における使用後の廃培地をタンク１２の上方の開口部からタンク１２内に投入する。本実施形態においては、高さ８０ｃｍ、開口径８０ｃｍのタンク１２を使用したが、タンク１２の大きさは適宜設定すればよい。
タンク１２に投入された廃培地は、タンク１２の底部１１の近傍において、駆動部１８により回転駆動される攪拌羽根１５ａによって攪拌され、細かく破砕され、攪拌羽根１５ａによって底部１１に設けた開口部１１ａに誘導されて送り筒２１に落とし込まれる。
【００３１】
攪拌羽根１５ａの作用は、タンク１２に投入された廃培地を徐々に小さく破砕する作用と、廃培地を燃焼部３０側へ移送させるために廃培地の送り機構２０に廃培地を送り込む作用である。攪拌羽根１５ａをゆっくり回転させることにより、タンク１２の底部１１と攪拌羽根１５ａとの間で廃培地が擦られて、細かく破砕される。廃培地を細かく破砕することによって、廃培地が送り筒２１内で詰まったりせず、燃焼部３０側へ的確に送ることができるようになる。
【００３２】
本実施形態においては、タンク１２の底部１１の下面に接するように送り筒２１を配置し、底部１１の開口部１１ａの直下にスクリュー２２が位置するように配置している。このように底部１１に近接して送り筒２１を配置することにより、開口部１１ａから送り筒２１内に確実に廃培地を落とし込むことができ、スクリュー２２によって廃培地を確実に移送させることができる。タンク１２の底部１１と送り筒２１との間隔が広くなると、底部１１と送り筒２１との間に廃培地が滞留して詰まり、廃培地の供給が的確になされなくなる場合がある。本実施形態の配置によれば、このような廃培地の送りミスを防止することができる。また、開口部１１ａを送り筒２１の長手方向に細長く開口する形態とし、開口部１１ａを広く開口させることによって、タンク１２側から送り筒２１に廃培地を確実に落とし込むことができる。
【００３３】
送り筒２１に落とし込まれた廃培地は、スクリュー２２の作用により送り筒２１内を前送りされ、送り筒２１の先端部の送出口２１ａから燃焼室３２内に供給される。送出口２１ａまで前送りされた廃培地は送出口２１ａから燃焼室３２内に落下して供給される。
送り筒２１の送出口２１ａから燃焼室３２内に落下した廃培地は燃焼筒３５上に落下する。廃培地を燃焼させている状態で、送出口２１ａから順次、廃培地を燃焼筒３５上に供給することによって、廃培地が順次、燃焼される。
【００３４】
廃培地を燃焼開始させる際には、燃焼筒３５上に廃培地が若干積もる程度まで廃培地を供給した後、燃料の供給部５０から燃料を滴下して着火する。廃培地が着火した後は、燃料の供給部５０からは間欠的に適宜燃料を供給するだけで、燃焼を継続させることができる。
燃焼筒３５の下方には、送気ファン３８から継続的にエアを送入しているから、これによって廃培地が効率的に燃焼する。廃棄油あるいは灯油等の燃焼を補助する燃料は、適宜使用すればよい。本実施形態においては、燃料として自動車のエンジンオイルの廃油を使用している。廃棄油を使用しているのは廃油を有効活用するためである。
【００３５】
図１に示すように、燃焼筒３５は外形が四角錐の中空体としているから、燃焼筒３５の上に落下した廃培地は、燃焼筒３５の上部から徐々に下方に落下し、山形に盛り上がった状態になる。本実施形態では燃焼筒３５の外面に落下防止板３５ｂを設けて、燃焼筒３５に落下した廃培地が燃焼筒３５の斜面からそのまま落下せずに滞留するようにし、燃焼筒３５の外面全体が廃培地によって覆われ、燃焼筒３５上に廃培地が積もった状態で、全体が山形になるようにしている。
【００３６】
送気ファン３８から燃焼筒３５の下側に送入されるエアは、燃焼筒３５に差し込まれた送気筒３８ａに設けられた通気孔３８ｂから燃焼筒３５内に送出され、燃焼筒３５にあけられた通気孔３５ａから燃焼筒３５上に積もっている廃培地に供給される。通気孔３５ａは燃焼筒３５の外壁に均等に多数個設けられているから、廃培地が燃焼筒３５の全体を覆うように積もることによって、廃培地の全体に均等にエアが行き渡り、効率的に廃培地を燃焼させることができる。
このように廃培地に効果的にエアを供給して燃焼することによって、水分率が高いきのこの廃培地であっても容易に燃焼させることができる。廃培地の水分率が高く、燃焼しにくい場合は燃料の供給部５０から間欠的に燃料を補給する。
【００３７】
こうして、本実施形態の廃培地の燃焼装置によれば、タンク１２から燃焼室３２に順次廃培地を供給しながら、効率的に廃培地を燃焼させることができる。
燃焼室３２内で廃培地を燃焼させて発生する熱は、ファン４２により加熱送気室４０にエアを送入することにより、加熱送気室４０の送風口４４から温風として取り出される。燃焼室３２の外面に放熱フィン３４を設けたことにより、加熱送気室４０に導入されたエアと燃焼室３２の熱とが効率的に熱交換され、エアが効果的に加熱されて送風口４４から送出される。
【００３８】
果樹栽培などでは、ハウス内を加温するハウス栽培が広汎に行われている。ハウスの加温には灯油を用いたボイラーが主として利用されている。本実施形態のきのこ廃培地の燃焼装置によれば、送風口４４から送出される温風をハウス内に送入することによってハウス内の加温に効果的に利用することができ、廃培地を利用した加熱方法として、廃培地の処分と併せて、省エネルギー化を図ることができる。
もちろん、本実施形態のきのこの廃培地の燃焼装置はハウス内の加温の他に、室内の暖房等に利用することも可能である。
【００３９】
このように、本発明に係るきのこの廃培地の燃焼装置は、焼却処理が困難とされているきのこの廃培地を効果的に処理することを可能にし、廃培地を燃焼処理する際に発生する熱を温風として取り出すことにより、加温装置として種々の用途に利用することができる。
【００４０】
なお、本発明に係るきのこの廃培地の燃焼装置で用いる廃培地は、おがこを用いる瓶栽培から排出される廃培地の他に、菌床栽培や原木栽培のきのこ廃培地や廃原木の処理にも利用することが可能である。また、栽培対象とするきのこの種類についてもとくに限定されるものではない。
また、本発明においては燃焼筒３５を用いることが特徴的であるが、燃焼筒３５の外形形状は四角錐に限るものではなく、三角錐、六角錐、円錐等の形状とすることもできる。すなわち、燃焼筒３５は、上部側が徐々に尖鋭形状となり、頂部が閉止され、下部が開口する中空の立体形状に形成されたものであれば、任意の形状とすることができる。
【符号の説明】
【００４１】
１０  供給部
１１  底部
１１ａ  開口部
１２  タンク
１４  攪拌機構
１５ａ  攪拌羽根
１７  電動モータ
１８  駆動部
２０  送り機構
２１  送り筒
２２  スクリュー
２３  電動モータ
３０  燃焼部
３２  燃焼室
３４  放熱フィン
３５  燃焼筒
３５ａ  通気孔
３５ｂ  落下防止板
３８  送気ファン
４０  加熱送気室
４２  ファン
４４  送風口
５０  燃料の供給部
【図１】
2011094856.tif 000003
【図２】
2011094856.tif 000004
【図３】
2011094856.tif 000005
【図４】
2011094856.tif 000006